(57)【要約】  双方向波長分割多重化(ｘＷＤＭ)のための波長変換構成が開示されている。波長変換構成は、少なくとも１つの第１の送信システムと、少なくとも１つの第１の波長変換器と、双方向ｘＷＤＭモジュールと、を具備しており、各第１の波長変換器は、前記第１の送信システムのうちの１つからの光信号を、第１の変換信号に変換するように構成されており、変換は、各第１の変換信号の波長がｘＷＤＭ標準に適合するように行われ、双方向ｘＷＤＭモジュールは、各第１の変換信号を第１の方向に向かわせるように構成されている。更に、双方向波長分割多重化(ｘＷＤＭ)のための波長変換方法が開示されている。波長変換方法は、各第１の変換信号の波長がｘＷＤＭ標準に適合するように、少なくとも１つの光信号を少なくとも１つの第１の変換信号に変換するステップと、双方向ｘＷＤＭモジュールにおいて、各第１の変換信号を第１の方向に向かわせるステップと、を具備する。【選択図】    図１
2012511277.tif 000002
【特許請求の範囲】
【請求項１】
双方向波長分割多重化(ｘＷＤＭ)のための波長変換構成であって、
前記波長変換構成は、
少なくとも１つの第１の送信システムと、
少なくとも１つの第１の波長変換器と、
双方向ｘＷＤＭモジュールと、
を具備しており、
各第１の波長変換器は、前記第１の送信システムのうちの１つからの光信号を、第１の変換信号に変換するように構成されていて、
前記変換は、各第１の変換信号の波長がｘＷＤＭ標準に適合するように行なわれ、
前記双方向ｘＷＤＭモジュールは、各第１の変換信号を第１の方向に向かわせるように構成されている、波長変換構成。
【請求項２】
前記波長変換構成は、
少なくとも１つの第２の送信システムと、
少なくとも１つの第２の波長変換器と、
を更に具備しており、
各第２の波長変換器は、前記第２の送信システムのうちの１つからの光信号を、第２の変換信号に変換するように構成されており、
前記変換は、各第２の変換信号の波長がｘＷＤＭ標準に適合するように行なわれ、
更に、前記双方向ｘＷＤＭモジュールは、各第２の変換信号を、前記第１の方向と反対の第２の方向に向かわせるように構成されている、請求項１に記載の波長変換構成。
【請求項３】
前記波長変換構成は、
少なくとも１つの第２の受信システムと、
少なくとも１つの第４の波長変換器と、
を更に具備しており、
各第４の波長変換器は、前記双方向ｘＷＤＭモジュールからの前記第２の変換信号のうちの１つを、第４の変換信号に変換するように構成されており、
前記変換は、各第４の変換信号の波長が、前記第２の波長変換信号のうちの１つにおいて使用されている波長に適合するように行なわれる、請求項２に記載の波長変換構成。
【請求項４】
前記波長変換構成は、
少なくとも１つの第１の受信システムと、
少なくとも１つの第３の波長変換器と、
を更に具備しており、
各第３の波長変換器は、前記双方向ｘＷＤＭモジュールからの前記第１の変換信号のうちの１つを、第３の変換信号に変換するように構成されており、
前記変換は、各第３の変換信号の波長が、前記第１の受信システムのうちの１つにおいて使用されている波長に適合するように行なわれる、請求項１乃至３の何れか１項に記載の波長変換構成。
【請求項５】
前記波長変換器のうちの少なくとも１つは、
光信号を電気信号に変換する受信機回路と、
前記電気信号を変換信号に変換する送信機回路と、
を具備する、請求項１乃至４の何れか１項に記載の波長変換構成。
【請求項６】
前記波長変換構成は、
前記双方向ｘＷＤＭモジュールを保護する光プロテクションスイッチ、
を更に具備する、請求項１乃至５の何れか１項に記載の波長変換構成。
【請求項７】
前記送信システムのうちの少なくとも１つは、
ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従う信号を処理する手段、
を具備する、請求項１乃至６の何れか１項に記載の波長変換構成。
【請求項８】
前記受信システムのうちの少なくとも１つは、
ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従う信号を処理する手段、
を具備する、請求項３又は請求項４に記載の波長変換構成。
【請求項９】
前記送信システムのうちの少なくとも１つは、サービスエリアインターフェイス(ＳＡＩ)キャビネットである、請求項１乃至８の何れか１項に記載の波長変換構成。
【請求項１０】
前記受信システムのうちの少なくとも１つは、サービスエリアインターフェイス(ＳＡＩ)キャビネットである、請求項３、請求項４、又は請求項８に記載の波長変換構成。
【請求項１１】
前記送信システムのうちの少なくとも１つは、中央局である、請求項１乃至１０の何れか１項に記載の波長変換構成。
【請求項１２】
前記受信システムのうちの少なくとも１つは、サービスエリアインターフェイスキャビネットである、請求項３、請求項４、又は請求項８に記載の波長変換構成。
【請求項１３】
双方向波長分割多重化(ｘＷＤＭ)のための波長変換方法であって、
各第１の変換信号の波長がｘＷＤＭ標準に適合するように、少なくとも１つの光信号を少なくとも１つの第１の変換信号に変換するステップと、
双方向ｘＷＤＭモジュールにおいて、各第１の変換信号を第１の方向に向かわせるステップと、
を具備する、波長変換方法。
【請求項１４】
前記波長変換方法は、
各第２の変換信号の波長がｘＷＤＭ標準に適合するように、少なくとも１つの光信号を少なくとも１つの第２の変換信号に変換するステップと、
前記双方向ｘＷＤＭモジュールにおいて、各第２の変換信号を、前記第１の方向と反対の第２の方向に向かわせるステップと、
を更に具備する、請求項１３に記載の波長変換方法。
【請求項１５】
前記波長変換方法は、
各第４の変換信号の波長が、第２の受信システムにおいて使用されている波長に適合するように、各第２の変換信号を第４の変換信号に変換するステップ、
を更に具備する、請求項１４に記載の波長変換方法。
【請求項１６】
前記波長変換方法は、
各第３の変換信号の波長が、第１の受信システムにおいて使用されている波長に適合するように、各第１の変換信号を第３の変換信号に変換するステップ、
を更に具備する、請求項１３乃至１５の何れか１項に記載の波長変換方法。
【請求項１７】
前記波長変換方法は、
前記双方向ＷＤＭモジュールを保護するステップ、
を更に具備する、請求項１３乃至１６の何れか１項に記載の波長変換方法。
【請求項１８】
各光信号は、
ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従うシステムからルーティングされたデータ、
を具備する、請求項１３乃至１７の何れか１項に記載の波長変換方法。
【請求項１９】
各第３の変換信号は、
ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従うシステムからルーティングされたデータ、
を具備する、請求項１６に記載の波長変換方法。
【請求項２０】
各第４の変換信号は、
ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従うシステムからルーティングされたデータ、
を具備する、請求項１５に記載の波長変換方法。
【発明の詳細な説明】
【技術分野】
【０００１】
本発明は、双方向波長分割多重化(bi-directional Wavelength Division Multiplexing, xWDM)のための波長変換構成及び方法に関する。
【背景技術】
【０００２】
光ファイバ通信は、１９７０年代に初めて開発され、遠距離通信業界に大変革をもたらした。光ファイバは電気を用いた伝送よりも好都合であるので、遠距離通信ネットワークでは、銅線に代わって、光ファイバが主として使用されるようになった。
【０００３】
光ファイバ通信は、１９７０年代から技術的にかなり進歩した。１つの主要な飛躍的進歩は、波長分割多重化(ｘＷＤＭ)、即ち、幾つかの異なる波長を使用して、幾つかのチャネルを同時に伝送できるように、光ファイバを使用する技術である。容量を増加するだけでなく、更に、信頼度と、スケーラビリティと、機能性とを改善するために、どのようにｘＷＤＭを使用できるかについて記載した文献における例が、現在は数多く存在する。それにも関わらず、ｘＷＤＭは、幅広く実施されていない。
【０００４】
本発明は、更なる環境においてｘＷＤＭ技術を使用できるようにすることを目的とする。
【発明の概要】
【０００５】
本発明の第１の態様によると、双方向波長分割多重化(ｘＷＤＭ)のための波長変換構成であって、
前記波長変換構成は、
少なくとも１つの第１の送信システムと、
少なくとも１つの第１の波長変換器と、
双方向ｘＷＤＭモジュールと、
を具備しており、
各第１の波長変換器は、第１の送信システムのうちの１つからの光信号を、第１の変換信号に変換するように構成されていて、前記変換は、第１の変換信号の波長がｘＷＤＭ標準に適合するように行なわれ、
前記双方向ｘＷＤＭモジュールは、各第１の変換信号を第１の方向に向かわせるように構成されている、波長変換構成、が提供される。
【０００６】
１つの実施形態において、前記波長変換構成は、
少なくとも１つの第２の送信システムと、
少なくとも１つの第２の波長変換器と、
を更に具備しており、
各第２の波長変換器は、前記第２の送信システムのうちの１つからの光信号を、第２の変換信号に変換するように構成されており、前記変換は、各第２の変換信号の波長がｘＷＤＭ標準に適合するように行なわれ、
更に、前記双方向ｘＷＤＭモジュールは、各第２の変換信号を、前記第１の方向と反対の第２の方向に向かわせるように構成されている。
【０００７】
１つの実施形態において、前記波長変換構成は、
少なくとも１つの第２の受信システムと、
少なくとも１つの第４の波長変換器と、
を更に具備しており、
各第４の波長変換器は、前記双方向ｘＷＤＭモジュールからの前記第２の変換信号のうちの１つを、第４の変換信号に変換するように構成されており、前記変換は、各第４の変換信号の波長が、前記第２の受信システムのうちの１つにおいて使用されている波長に適合するように行なわれる。
【０００８】
１つの実施形態において、前記波長変換構成は、
少なくとも１つの第１の受信システムと、
少なくとも１つの第３の波長変換器と、
を更に具備しており、
各第３の波長変換器は、前記双方向ｘＷＤＭモジュールからの前記第１の変換信号のうちの１つを、第３の変換信号に変換するように構成されており、前記変換は、各第３の変換信号の波長が、前記第１の受信システムのうちの１つにおいて使用されている波長に適合するように行なわれる。
【０００９】
１つの実施形態において、前記波長変換器のうちの少なくとも１つは、
光信号を電気信号に変換する受信機回路と、
前記電気信号を変換信号に変換する送信機回路と、
を具備する。
【００１０】
１つの実施形態において、少なくとも前記波長変換構成は、前記双方向ｘＷＤＭモジュールを保護する光プロテクションスイッチ、を更に具備する。１つの実施形態において、前記送信システムのうちの少なくとも１つは、ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従う信号を処理する手段、を具備する。
【００１１】
１つの実施形態において、前記受信システムのうちの少なくとも１つは、ディジタルループキャリア(ＤＬＣ)、ディジタル加入者回線(ｘＤＳＬ)、マルチサービスアクセスノード(ＭＳＡＮ)、又は同期ディジタル階層(ＳＣＨ)を含むグループから選択される標準に従う信号を処理する手段、を具備する。
【００１２】
１つの実施形態において、前記送信システムのうちの少なくとも１つは、サービスエリアインターフェイス(ＳＡＩ)キャビネットである。
【００１３】
１つの実施形態において、前記受信システムのうちの少なくとも１つは、サービスエリアインターフェイス(ＳＡＩ)キャビネットである。
【００１４】
１つの実施形態において、前記送信システムのうちの少なくとも１つは、中央局である。
【００１５】
１つの実施形態において、前記受信システムのうちの少なくとも１つは、サービスエリアインターフェイス(ＳＡＩ)キャビネットである。
【００１６】
本発明の第２の態様によると、双方向波長分割多重化(ｘＷＤＭ)のための波長変換方法であって、
各第１の変換信号の波長がｘＷＤＭ標準に適合するように、少なくとも１つの光信号を少なくとも１つの第１の変換信号に変換するステップと、
双方向ｘＷＤＭモジュールにおいて、各第１の変換信号を第１の方向に向かわせるステップと、
を具備する、波長変換方法、を提供する。
【００１７】
１つの実施形態において、前記波長変換方法は、
各第２の変換信号の波長がｘＷＤＭ標準に適合するように、少なくとも１つの光信号を少なくとも１つの第２の変換信号に変換するステップと、
前記双方向ｘＷＤＭモジュールにおいて、各第２の変換信号を、前記第１の方向と反対の第２の方向に向かわせるステップと、
を更に具備する。
【００１８】
１つの実施形態において、前記波長変換方法は、
各第４の変換信号の波長が、第２の受信システムにおいて使用されている波長に適合するように、各第２の変換信号を第４の変換信号に変換するステップ、
を更に具備する。
【００１９】
１つの実施形態において、前記波長変換方法は、
各第３の変換信号の波長が、第１の受信システムにおいて使用されている波長に適合するように、各第１の変換信号を第３の変換信号に変換するステップ、
を更に具備する。
【００２０】
１つの実施形態において、前記波長変換方法は、
前記双方向ｘＷＤＭモジュールを保護するステップ、
を更に具備する。
【００２１】
１つの実施形態において、各光信号は、ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従うシステムからルーティングされたデータ、を具備する。
【００２２】
１つの実施形態において、各第３の変換信号は、ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従うシステムからルーティングされたデータ、を具備する。
【００２３】
１つの実施形態において、各第４の変換信号は、ディジタルループキャリア(ＤＬＣ)、ディジタル加入者回線(ｘＤＳＬ)、マルチサービスアクセスノード(ＭＳＡＮ)、又は同期ディジタル階層(ＳＤＨ)を含むグループから選択される標準に従うシステムからルーティングされたデータ、を具備する。
【００２４】
実施形態は、本発明の全ての態様を組み込んでいる。ここで、添付の図面を参照して、実施形態を例示的に記載する。
【図面の簡単な説明】
【００２５】
【図１】本発明の第１の実施形態に従って、光通信の双方向波長分割多重化(ｘＷＤＭ)のための構成を示す概略図である。
【図２】本発明の第２の実施形態に従って、光通信の双方向波長分割多重化(ｘＷＤＭ)のための構成を示す概略図である。
【図３】本発明の第３の実施形態に従って、光プロテクションスイッチを使用する双方向波長分割多重化(ｘＷＤＭ)のための構成を示す概略図である。
【図４】本発明の第４の実施形態に従って、光プロテクションスイッチを使用する双方向波長分割多重化(ｘＷＤＭ)のための構成を示す概略図である。
【図５】本発明の第３と第４の実施形態において使用されている光プロテクションスイッチの概略図である。
【発明を実施するための形態】
【００２６】
図１は、本発明の第１の実施形態に従って、双方向波長分割多重化(ｘＷＤＭ)のための構成100を示している。
【００２７】
複数の送信及び受信システム200、210、220、230、240、250(「トランシーバ」と呼ばれる場合もある)が、通信システムの２つの端部に配置されている。各送信システムは、通信システムの反対側に配置されている受信システムと通信するように構成されている。この実施形態において、全ての送信システムは、受信システムでもある。しかしながら、幾つかの実施形態では、送信及び／又は受信システムのうちの１つ以上は、送信するためにのみ、又は受信するためにのみ、動作し得ると想定されている。
【００２８】
一例では、送信及び受信システムは、サービスエリアインターフェイス(Serving Area Interface, SAI)キャビネットにインストールされた、ディジタルループキャリア（Digital Loop Carrier, DLC)遠隔端末であり得る。このようなデバイスは、顧客から中央局(Central Office, CO)までの個々のローカルループをインストールする労力と複雑さとを軽減する。各ループに必要な、ＣＯから遠隔端末までの全システムを接続するために、光ファイバを使用することができる。
【００２９】
別の例では、ＳＡＩキャビネットからＣＯまでのリンクによって提供される恩恵にアクセスするために、ディジタル加入者回線アクセスマルチプレクサ(Digital Subscriber Line Access Multiplexers, DSLAM)をＳＡＩキャビネットにインストールする場合がある。これは、ディジタル加入者回線(Digital Subscriber Line, xDSL)技術の人気の上昇を利用している。更に、ＤＬＣ遠隔端末がこれらのＤＳＬＡＭに一緒に統合されることもあり、両者のシステムが、ＤＬＣからＣＯまでのディジタル伝送リンクを利用し、ＤＬＣシステムでより短い金属ループを使用することによって恩恵が得られる。
【００３０】
更に別の例では、マルチサービスアクセスノード(Multiservice Access Nodes, MSAN)をＳＡＩキャビネットにインストールしてもよい。ＭＳＡＮは、顧客が電話回線を中央局に接続することによって、１つのプラットフォームから電話及びブロードバンドサービスを全てｘＤＳＬのように提供することを可能にする。ＭＳＡＮが配備される以前は、一般に、プロバイダは、様々なタイプのサービスを顧客に提供するために、ＤＳＬＡＭを含む別々の機器を有していた。全てのサービスを１つのノードに統合すると、費用効果をより高めることができ、新たなサービスを顧客により迅速に提供することができる。
【００３１】
図１において、各送信システムは出力光信号を生成するが、この出力光信号は、ｘＷＤＭ標準と互換性がない。同様に、各受信システムは光信号を受信できるが、この光信号は、ｘＷＤＭ標準と互換性がない。代わりの実施形態では、送信及び／又は受信システムのうちの１つ以上が、ｘＷＤＭ標準と互換性があり得る。
【００３２】
各送信システム200、210、220、230、240、250において生成された光信号は、一方向リンクを介して、受信機回路500、510、520、530、540、550に送信される。通常、これらの光ファイバリンクは、時分割多重化(Time Division Multiplexing, TDM)リンク、例えば、同期ディジタル階層(Synchronous Digital Hierarchy, SDH)又は準同期ディジタル階層（Plesiochronous Digital Hierarchy, PDH)リンク(即ち、Ｔ１と、Ｅ１と、Ｔ３と、Ｅ３)から構成されている。
【００３３】
各受信機回路500、510、520、530、540、550は、送信システムから受信したそれぞれの光信号を、電気信号に変換する。次に、生成された電気信号は、送信機回路600、610、620、630、640、650に渡される。各送信機回路の役割は、各波長がｘＷＤＭ標準と互換性を有するように、電気信号を光信号に変換することである。１つの実施形態において、これらは、高密度波長分割多重化(Dense Wavelength Division Multiplexing, DWDM)標準に対応する波長であり得る。別の実施形態において、これらは、低密度波長分割多重化(Coarse Wavelength Division Multiplexing, CWDM)標準に対応する波長であり得る。ＣＷＤＭシステムは、およそ１５５０ｎｍのシリカファイバの第３の伝送窓(Ｃバンド)において、１６本までのチャネルを提供でき、一方で、ＤＷＤＭは、同じ伝送窓を使用するが、より密なチャネル間隔を有して、１００ＧＨｚの間隔で４０チャネルまで、又は５０ＧＨｚの間隔で８０チャネルまで提供することが、２つの異なるｘＷＤＭ標準間の違いである。
【００３４】
１つの実施形態では、受信機回路と送信機回路とを単一のデバイスに組み合わせることができる。この単一のデバイスは、一般に、波長変換トランスポンダ、又は光−電気−光（Optical-Electrical-Optical, O-E-0)トランスポンダと称される。別の実施形態では、光トランスポンダを使用することができる。これは、電気変換を不要にする。
【００３５】
図１では、(ここでは、ＣＷＤＭ又はＤＷＤＭのような特定のｘＷＤＭ標準と互換性のある)光信号が、マルチプレクサ400又は410に送信される。マルチプレクサ400又は410は、異なる光信号を１つの単一の光信号に組み合わせる。次に、サーキュレータ440又は450は、この信号を、ｘＷＤＭ光ファイバ460を介して、他方のサーキュレータ450又は440に流す。この実施形態では、送信機回路600、610、620、630、640、650からの出力ｘＷＤＭ光信号の波長が全て異なるように、これらを注意深く選択して、２つのサーキュレータ間の双方向伝送容量を最大化する。この場合に、マルチプレクサ400において組み合わされる信号の波長は、λ１ｘ、λ２ｘ、・・・λｎｘであり、マルチプレクサ410において組み合わされる信号の波長は、λ１ｙ、λ２ｙ、・・・λｎｙである。
【００３６】
光ファイバを通った後で、サーキュレータ450又は440は、コア信号をデマルチプレクサ420又は430に流す。デマルチプレクサ420又は430は、コア信号を複数の光信号にデマルチプレックスする。この実施形態では、デマルチプレックスされた信号の波長は、マルチプレックスされた信号の波長と正確に一致するが、必ずしもそうである必要はない。別の実施形態では、多重化された信号の波長と、デマルチプレックスされた信号の波長は、異なる場合がある。
【００３７】
マルチプレクサ400、410と、デマルチプレクサ420、430と、サーキュレータ440、450と、ｘＷＤＭ光ファイバ460とを含む構成は、双方向ｘＷＤＭモジュールと称されることがある。このモジュールは、一つの方向において第１のｘＷＤＭ信号の送信を可能にし、第１のｘＷＤＭ信号と反対の方向において第２のｘＷＤＭ信号の送信を可能にして、その結果、２本の光ファイバを必要することなく、双方向通信を提供する。
【００３８】
デマルチプレックスした後で、デマルチプレクサ430、420からの信号の各々は、受信機回路700、710、720、730、740、750に送信される。受信機回路700、710、720、730、740、750は、デマルチプレクサからのｘＷＤＭと互換性のある信号の各々を電気信号に変換する。これらの信号は、送信機回路800、810、820、830、840、850に渡される。これらの送信機回路の役割は、各出力光信号の波長が特定の受信システムに対応するようなやり方で、電気信号を光信号に変換することである。次に、各信号は、一方向リンクを介して、対応する受信システム200、210、220、230、240、250へ送信される。
【００３９】
図２は、本発明の第２の実施形態に従って、光通信の双方向波長分割多重化(Wavelength Division Multiplexing, WDM)のための構成110を示している。
【００４０】
この実施形態では、複数の送信及び受信システム300、310、320、330、340、350がある。これらの送信システムの各々は、ｘＷＤＭ標準に準拠した光信号を送信できないが、受信システムの各々は、ｘＷＤＭと互換性のある光信号を受信することができる。
【００４１】
各送信システム300、310、320、330、340、350から、それぞれのデマルチプレクサ420又は430への経路は、図１の経路と実質的に同じである。しかしながら、この実施形態では、受信システムが信号を受信できるように、信号の波長を異なる波長に変換する必要はない。
【００４２】
図３は、本発明の第３の実施形態に従って、双方向波長分割多重化(ＷＤＭ)のための構成120を示している。
【００４３】
この実施形態では、構成は、図１の構成に類似しているが、動作している光ファイバが中断した場合にシステムを保護するために、光プロテクションスイッチ470が追加されている。
【００４４】
図４は、本発明の第４の実施形態に従って、双方向波長分割多重化(ＷＤＭ)のための構成130を示している。
【００４５】
この実施形態において、構成は、図１の構成に似ているが、動作している光ファイバが中断した場合にシステムを保護するために、光プロテクションスイッチ470が追加されている。
【００４６】
図５は、本発明の第３又は第４の実施形態で実施されている光プロテクションスイッチ470を示している。
【００４７】
光プロテクションスイッチの他の構成又はタイプも使用できることに留意すべきである。
【００４８】
本発明の意図及び範囲から逸脱することなく、多くの変更を行なってもよいこと、特に、上述の実施形態の様々な特徴を組み合わせて、更なる実施形態を作成できることが、本発明の当業者に分かるであろう。
【００４９】
本発明の上述の記載及び請求項では、文言又は必要な含意を表現するために、文脈上異なる解釈をする必要がある場合を除いて、単語「具備する」又はその活用形、例えば、「具備し」、「具備している」は、包含的な意味で使用されている。即ち、記載されている特徴が存在することを明示しているが、本発明の様々な実施形態において更なる特徴が存在すること又は更なる特徴を追加することを排除していない。
【００５０】
先行技術の刊行物をこの中で参照したことにより、その刊行物が任意の国における広く知られた一般的な知識の一部となっていることを承認しているわけではないと解されるべきである。
【符号の説明】
【００５１】
100、110、120、130・・・ｘＷＤＭのための構成、200、210、220、230、240、250、300、310、320、330、340、350・・・送信及び受信システム、400、410・・・マルチプレクサ、420、430・・・デマルチプレクサ、440、450・・・サーキュレータ、460・・・ｘＷＤＭ光ファイバ、470・・・光プロテクションスイッチ、500、510、520、530、540、550、700、710、720、730、740、750・・・受信機回路、600、610、620、630、640、650、800、810、820、830、840、850・・・送信機回路。
【図１】
2012511277.tif 000003
【図２】
2012511277.tif 000004
【図３】
2012511277.tif 000005
【図４】
2012511277.tif 000006
【図５】
2012511277.tif 000007
【国際調査報告】
2012511277.tif 000008
2012511277.tif 000009
2012511277.tif 000010
2012511277.tif 000011
2012511277.tif 000012